(57)【要約】【課題】  苗木の搬送や定植が容易で、作業性の良いものを提供すること。【解決手段】  周面部１の内側に複数の舌片部４を延在させ、各舌片部４間に隙間を形成する。【選択図】図１
2022001030.tif 000002
【特許請求の範囲】
【請求項１】
筒状の周面部（１）と、その周面部（１）の下端側に形成された底部（２）と、その周面部（１）の上端側に形成された蓋部（３）とを具備する育苗用ポットにおいて、
前記蓋部（３）は、前記周面部（１）の内側に、それぞれポットの上部の中心に向かって延在する複数の蓋用の舌片部（４）からなり、各舌片部（４）の間に隙間が設けられた育苗用ポット。
【請求項２】
請求項１に記載の育苗用ポットにおいて、
前記周面部（１）と前記蓋部（３）と底部（２）とが一体の材料からなり、
蓋用の前記舌片部（４）は、その長さの長い長舌片部（４ａ）と、その長さの短い短舌片部（４ｂ）とを周方向に有し、前記長舌片部（４ａ）と短舌片部（４ｂ）が厚み方向に重なる育苗用ポット。
【請求項３】
請求項１または請求項２に記載の育苗用ポットにおいて、
前記周面部（１）は底部（２）から蓋部（３）にかけて拡開する筒形に形成され、
蓋用の前記長舌片部（４ａ）、短舌片部（４ｂ）は、前記周面部（１）の上縁から前記底部（２）側へ折返され、さらに底部（２）側から上縁側に折返された折返し部（４ｃ）を有し、その折返し部（４ｃ）が前記周面部（１）に着脱自在に仮固定されたことを特徴とする育苗用ポット。
【発明の詳細な説明】
【技術分野】
【０００１】
本発明は、果樹などの樹木や花、野菜等の育苗用ポットに関し、防草や水やりが可能で苗の輸送及び定植が容易なものに関する。
【背景技術】
【０００２】
下記特許文献１に記載の苗木用ポットは、プラスチック製又は不織布製のポットであって、底部と周面部と蓋部とを有する。そして、蓋部に複数の穴が設けられ、その穴に結束具を通すことにより、ポットの上部を絞り込んで巾着形状に形成できるものである。
これにより、作業性の優れた苗木用ポットを提供できると記載されている。
【先行技術文献】
【特許文献】
【０００３】
【特許文献１】特開２００９−１２４９４５号公報
【発明の概要】
【発明が解決しようとする課題】
【０００４】
上記従来の苗木用ポットは、結束具を複数の穴に通して絞る巾着形状を有し、その結束作業が面倒である欠点があった。また、蓋部を閉じなければ防草効果がないため、水を供給する度に、蓋部を開閉する必要がある欠点があった。
さらには、その形状の故、多数のポットを積み重ねることが難しく、トラック搬送時や販売店等で多くのスペースを必要としていた。
そこで本発明は、これらの欠点を解決する育苗用ポットを提供することを課題とする。
【課題を解決するための手段】
【０００５】
請求項１に記載の本発明は、筒状の周面部１と、その周面部１の下端側に形成された底部２と、その周面部１の上端側に形成された蓋部３とを具備する育苗用ポットにおいて、
前記蓋部３は、前記周面部１の内側に、それぞれポットの上部の中心に向かって延在する複数の蓋用の舌片部４からなり、各舌片部４の間に隙間が設けられた育苗用ポットである。
【０００６】
請求項２に記載の本発明は、請求項１に記載の育苗用ポットにおいて、
前記周面部１と前記蓋部３と底部２とが一体の材料からなり、
蓋用の前記舌片部４は、その長さの長い長舌片部４ａと、その長さの短い短舌片部４ｂとを周方向に有し、前記長舌片部４ａと短舌片部４ｂが厚み方向に重なる育苗用ポットである。
【０００７】
請求項３に記載の本発明は、請求項１または請求項２に記載の育苗用ポットにおいて、
前記周面部１は底部２から蓋部３にかけて拡開する筒形に形成され、
蓋用の前記長舌片部４ａ、短舌片部４ｂは、前記周面部１の上縁から前記底部２側へ折返され、さらに底部２側から上縁側に折返された折返し部４ｃを有し、その折返し部４ｃが前記周面部１に着脱自在に仮固定されたことを特徴とする育苗用ポットである。
【発明の効果】
【０００８】
請求項１に記載の発明は、蓋部３として、周面部１の内側に、それぞれポットの上部の中心に向かって延在する複数の蓋用の舌片部４からなり、各舌片部４の間に隙間が設けられたものである。
この構造により、ポット内に培土を入れた状態とした時、蓋用の舌片部４により土上を覆うことで、簡単な構造でポット上面の防草を可能とする。また、各舌片部４の間に隙間が設けられているため、その隙間を介して、供給された水を培土１１に給水することができる。
【０００９】
請求項２に記載の発明は、蓋用の舌片部４が、長舌片部４ａと短舌片部４ｂとを周方向に有し、それらが厚み方向に重なることで、蓋部３を構成することができる。この舌片部４の重なり構造により、防草を確実にできる。
また、周面部１と前記蓋部３と底部２とが一体の材料からなる。それにより、ポットの製造が容易となり安価に提供できる。
【００１０】
請求項３に記載の発明は、蓋用の長舌片部４ａと短舌片４ｂは二重に折返された折返し部４ｃを有し、その折返し部４ｃが周面部１に着脱自在に仮固定されたものである。
これにより、培土の挿入と、蓋部３の閉塞作業とが容易となる。また、周面部１は底部２から蓋部３にかけて拡開する筒形に形成されているものである。この構造上、多数のポットを積層することができ、嵩張らず搬送が容易で、販売時にもスペースを必要以上に取らないものとすることができる。
【図面の簡単な説明】
【００１１】
【図１】本発明の育苗用ポットであって、内部に培土を入れる前の状態を示す斜視図。
【図２】その組立て説明図であって、（Ａ）は展開図、（Ｂ）は組立ての第１段階を示す斜視図、（Ｃ）は同第２段階を示す斜視図。
【図３】同ポットの平面図（Ａ）、（Ａ）のＢ−Ｂ矢視断面図（Ｂ）。
【図４】同ポットの使用状態を示し、（Ａ）はその蓋部３を開放した状態を示す斜視図、（Ｂ）はそれを閉塞した状態を示す斜視図。
【図５】同ポットの要部横断面図。
【発明を実施するための形態】
【００１２】
次に、図面に基づいて本発明の実施の形態につき説明する。
図１は本育苗用ポットの斜視図であり、図２は同ポットの組立て説明図である。
この育苗用ポットは、図１に示す如く、周面部１を有し、その周面部１の下端側に底部２が形成され、その周面部１の上端側に蓋部３が形成されている。
このポットの材料の一例として、遮光性を有する不織布、樹脂フィルムを使用できる。このようにポットが遮光材料からなる場合、雑草の繁殖を効果的に防止できる。また、耐水性のある紙、布、板材、樹脂フィルム等であっても、このポットを製造することができる。
【００１３】
図２に基づいて、このポットの製造の一例を示す。図２（Ａ）は、図１のポットの展開図を示している。育苗ポットの底部２と周面部１と蓋部３は、図２（Ａ）に記載の如く、同一の材料から一体的に構成することが好ましい。
具体的には、ポットの展開状態においては、周面部１は扇状に形成されている。その周面部１の下方には、底部２を形成する多数の底用舌片部９が形成され、その周面部１の上方には、蓋部３を形成する多数の舌片部４として、長舌片部４ａと短舌片部４ｂとが交互に形成されている。
【００１４】
この展開状態においては、周面部１の左右の両端には接続しろが形成されている。その接続しろを重ね合わせて接合することで、図２（Ｂ）のように、周面部１が筒状となる。この状態では、各底用舌片部９は、下方へ突設された状態になる。
各底用舌片部９は、図２（Ｃ）の如く、折り畳まれ、重ね合わされる。
重なり合わされた各底用舌片部９の接続部８は、図３（Ａ）（Ｂ）の如く、接合されて底部２が形成される。
【００１５】
周面部１の上部に交互に配置された長舌片部４ａ、短舌片部４ｂは、夫々図２（Ｂ）のように、第１折返し部５の位置で、周面部１の内側に底部２側に向けて畳まれ、次に、図２（Ｃ）のように、第２折返し部６の位置で、夫々の長舌片部４ａ，短舌片部４ｂの先端が上方に向けて折り畳まれる。図３（Ｂ）の如く、長舌片部４ａ，短舌片部４ｂと周面部１との間には、２重に折り畳まれている折返し部４ｃを有する状態になる。
ここで、各第１折返し部５、各第２折返し部６、および各各底用舌片部９と周面部１の付根には、図２（Ａ）の点線で示されているように、任意の幅のスリットを定間隔に形成しておくことが好適である。それにより、容易に各部５、６、９の折返しを行うことができる。
【００１６】
各長舌片部４ａは、短舌片部４ｂよりも幅も大きく形成されている。また、この例では、折返し部４ｃとの付根から中間に向けて、その幅が広くなる幅広部４ａ１を有する。そして、図１、図４に記載のように、各長舌片部４ａの先端部は先割れしている形状とすることが好ましい。短舌片部４ｂは、折返し部４ｃとの付根から半円状に形成されている。
【００１７】
各折返し部４ｃの一部は、それぞれの長舌片部４ａ、短舌片部４ｂとともに、周面部１の内面に弱く接合され、仮固定部７が形成される。そして長舌片部４ａと短舌片部４ｂとが周面部１の上方に周方向に交互に配置され、少なくとも長舌片部４ａは周面部１の上端から突出する。
各部の接合の方法、仮固定部７の形成の方法は、溶着により行うことが好ましい。
【００１８】
このようにしてなるポット１０は、図１及び図３（Ａ）（Ｂ）に示す如く、周面部１の断面が底部２から上方に向かうにつれて拡開するように形成されている。
それぞれの長舌片部４ａ、短舌片部４ｂは、周面部１の傾斜に沿って接合されているので、多数のポット１０を積層するとき、それらの舌片部４ａ、４ｂが積層の邪魔にならない。積層が可能となる為、ポットの置き場所を取らずに、大量に搬送することができ、販売の際、販売スペースを効率的に使用することができる。
また、図１に示す如く、少なくとも長舌片部４ａは周面部１の上端から突出しているため、長舌片部４ａを持って、各ポット１０を容易に分離することができる。
【００１９】
この育苗用ポットは、図４（Ａ）のように、ポット１０の内部に培土１１を入れると共に、そこに苗１２を植えて使用する。
次いで、図４（Ｂ）の如く、長舌片部４ａ、短舌片部４ｂを内側に引き戻して、培土１１の表面を各長舌片部４ａ、短舌片部４ｂで覆い、蓋部３を形成する。
各舌片部４の間には隙間があり、培土１１の上面に給水の水を保持し易く、それを培土１１に供給することができる。
【００２０】
各舌片部４の間に生じる隙間は、次のように、形成される。
各長舌片部４ａを仮固定部７から引き剥がし、培土１１上に各長舌片部４ａの隣接する幅広部４ａ１をクロスしながら順に重ね合わせる。
各長舌片部４ａを、図４に記載のように、幅広部４ａ１でクロスして重ね合わせた場合、重なり部により、多少の風が吹きつけても、長舌片部４ａが容易に捲れ上がらないようになっている。また、このクロス重ね合わせ構造は、重ね合わせの作業が容易に行える。
その重なり部には、若干の隙間が生じる。その隙間は、外部からの雑草の種の侵入には十分耐えるものである。
育苗用ポットの材料として用いる不織布は、植物に給水すると蓋部３の上面が湿潤し、培土１１へ保湿効果は得られる。上記の隙間を有する構造により、供給された水がその隙間を介して培土１１に浸透し、長舌片部４ａの重なりを解除することなく、植物に給水することができる。
また、先端部の先割れの構造により、それらを重ね合わせた時に、ポット上部の中央位置に僅かな露出部を形成し、苗１２を傷つけることなく培土１１上の大部分を覆うことが可能となる。
【００２１】
各長舌片部４ａを重ね合わせると、隣接する長舌片部４ａの付根近傍には、図５の如く、隙間１３が生じる。その隙間１３に防草効果を与える為、短舌片部４ｂを仮固定部７から剥がし、隣接する長舌片部４ａ間の隙間１３を塞ぐように短舌片部４ｂが重ね合わされる。
これにより、露出部を除いて、培土１１の上面を被蔽し、そこに雑草が生えるのを防止する。また、この短舌片部４ｂが長舌片部４ａの押さえとなりなり、ポットに強い風が吹きつけた時に、より効果的に、長舌片部４ａがめくれ上がらないようになっている。
【００２２】
この短舌片部４ｂの長舌片部４ａへの積層状態は、図５のように、わずかに隙間が生じる。この隙間があることにより、蓋部３が培土１１上に被蔽されている場合でも、供給された水がその隙間を介して十分に培土１１に浸透し、蓋部３の被蔽を解除することなく、植物に給水することができ、作業性が向上する。
【００２３】
各長舌片部４ａ、短舌片部４ｂに接続された折返し部４ｃは、この例では、第１折返し部５から第２折返し部６までの長さが一定となっており、第２折返し部６を目安として培土１１を入れる量を調整できる機能も担っている。
第２折返し部６の位置は、ポット１０の上端縁から下方に設定されており、各長舌片部４ａ、短舌片部４ｂは、各第２折返し部６の位置を付根にして引き剥がされるので、各舌片部４の風の影響によるめくれ上がり防止をより効果的なものとする。
【００２４】
なお、苗が十分育ち、ポット１０から苗１２を取り出すときは、単に、培土１１の上部を手で押さえながら、ポット１０の上下を逆さまにすることで、培土１１の自重により、容易に各舌片部４が解除され、容易に育った苗１２を取り出すことができる。
【００２５】
（変形例）
上記実施例の図面では、周面部１が多角形に図示されているが、それに変えて円筒形とすることもできる。
蓋部３と周面部１とを別部材で形成することもできる。また、底部２と周面部１とを別部材で形成することもできる。
舌片部４を構成する長舌片部４ａ、短舌片部４ｂの形状は任意である。
接続しろ、接続部８、仮固定部７は、接着剤を用いて接合しても良い。また、ホチキス等の針留めにより、接合することもできる。
また、周面部１に図１において縦方向にミシン目を入れ、それを容易に剥ぎ取ることができるようにしても良い。
なお、底部２と周面部１とを、シート材から一体にブロー成形することもできる。
【産業上の利用可能性】
【００２６】
本発明は、花苗，果樹等を育苗する育苗用ポットとして利用できる。
【符号の説明】
【００２７】
１  周面部
２  底部
３  蓋部
４  舌片部
４ａ  長舌片部
４ｂ  短舌片部
４ｃ  折返し部
【００２８】
５  第１折返し部
６  第２折返し部
７  仮固定部
８  接続部
９  底用舌片部
１０  ポット
１１  培土
１２  苗
１３  隙間
【図１】
2022001030.tif 000003
【図２】
2022001030.tif 000004
【図３】
2022001030.tif 000005
【図４】
2022001030.tif 000006
【図５】
2022001030.tif 000007